【手続補正書】
【提出日】平成19年1月19日(2007.1.19)
【手続補正１】
【補正対象書類名】明細書
【補正対象項目名】発明の名称
【補正方法】変更
【補正の内容】
【発明の名称】コンテンツ提供装置、コンテンツ提供方法、プログラム格納媒体、コンテンツ提供システム、利益還元装置、利益還元方法及び利益還元システム
【手続補正２】
【補正対象書類名】明細書
【補正対象項目名】特許請求の範囲
【補正方法】変更
【補正の内容】
【特許請求の範囲】
【請求項１】
所定の記憶領域にコンテンツを蓄積すると共に、当該コンテンツに対して広告情報を付加することにより生成された広告情報付コンテンツを蓄積し、クライアントからの要求に応じて上記コンテンツ又は上記広告情報付コンテンツのいずれかを読み出した後にネットワークを介して提供するコンテンツ蓄積提供手段と、
上記コンテンツ又は上記広告情報付コンテンツのいずれかを提供することが予め設定されたコンテンツ提供条件データを外部から受信して記憶する記憶手段と、
上記クライアントから上記コンテンツに対する上記要求を受けたとき、上記コンテンツ提供条件データに従って上記コンテンツ又は上記広告情報付コンテンツのいずれかを上記コンテンツ蓄積提供手段によって上記クライアントへ提供する制御手段と
を具えることを特徴とするコンテンツ提供装置。
【請求項２】
上記記憶手段は、
ユーザの使用する端末の画面上で上記広告情報付コンテンツを提供するように設定された上記コンテンツ提供条件データを上記端末から受信して記憶する
ことを特徴とする請求項１に記載のコンテンツ提供装置。
【請求項３】
上記広告情報付コンテンツは、
上記コンテンツの先頭部分に上記広告情報が付加されている
ことを特徴とする請求項１に記載のコンテンツ提供装置。
【請求項４】
所定の記憶領域にコンテンツを蓄積すると共に、当該コンテンツに対して広告情報を付加することにより生成された広告情報付コンテンツをコンテンツ蓄積提供手段に蓄積しておくコンテンツ蓄積ステップと、
上記コンテンツ又は上記広告情報付コンテンツのいずれかを提供することが予め設定されたコンテンツ提供条件データを外部から受信して記憶する記憶ステップと、
上記クライアントから上記要求を受けたとき上記コンテンツ提供条件データに従って上記コンテンツ又は上記広告情報付コンテンツのいずれかを選択する選択ステップと、
上記選択ステップで選択された上記コンテンツ又は上記広告情報付コンテンツのいずれかを上記コンテンツ蓄積提供手段からネットワークを介して上記クライアントへ提供するコンテンツ提供ステップと
を具えることを特徴とするコンテンツ提供方法。
【請求項５】
上記記憶ステップは、
ユーザの使用する端末の画面上で上記広告情報付コンテンツを提供するように設定された上記コンテンツ提供条件データを上記端末から受信して記憶する
ことを特徴とする請求項４に記載のコンテンツ提供方法。
【請求項６】
上記広告情報付コンテンツは、
上記コンテンツの先頭部分に上記広告情報が付加されている
ことを特徴とする請求項４に記載のコンテンツ提供方法。
【請求項７】
所定の記憶領域にコンテンツを蓄積すると共に、当該コンテンツに対して広告情報を付加することにより生成された広告情報付コンテンツをコンテンツ蓄積提供手段に蓄積しておくコンテンツ蓄積ステップと、
上記コンテンツ又は上記広告情報付コンテンツのいずれかを提供することが予め設定されたコンテンツ提供条件データを外部から受信して記憶する記憶ステップと、
上記クライアントから上記要求を受けたとき上記コンテンツ提供条件データに従って上記コンテンツ又は上記広告情報付コンテンツのいずれかを選択する選択ステップと、
上記選択ステップで選択された上記コンテンツ又は上記広告情報付コンテンツのいずれかを上記コンテンツ蓄積提供手段からネットワークを介して上記クライアントへ提供するコンテンツ提供ステップと
を具えることを特徴とするプログラムをコンテンツ提供装置に実行させるプログラム格納媒体。
【請求項８】
上記記憶ステップは、
ユーザの使用する端末の画面上で上記広告情報付コンテンツを提供するように設定された上記コンテンツ提供条件データを上記端末から受信して記憶する
ことを特徴とする請求項７に記載のプログラム格納媒体。
【請求項９】
上記広告情報付コンテンツは、
上記コンテンツの先頭部分に上記広告情報が付加されている
ことを特徴とする請求項７に記載のプログラム格納媒体。
【請求項１０】
コンテンツの提供を要求するクライアントと、
上記コンテンツを蓄積し上記クライアントからの上記要求に応じて上記コンテンツをネットワークを介して上記クライアントへ提供するコンテンツ提供装置と
によって構成されるコンテンツ提供システムにおいて、
上記コンテンツ提供装置は、
所定の記憶領域に上記コンテンツを蓄積すると共に、当該コンテンツに対して広告情報を付加することにより生成された広告情報付コンテンツを蓄積し、上記クライアントからの上記要求に応じて上記コンテンツ又は上記広告情報付コンテンツのいずれかを読み出した後に上記ネットワークを介して提供するコンテンツ蓄積提供手段と、
上記コンテンツ又は上記広告情報付コンテンツのいずれかを提供することが予め設定されたコンテンツ提供条件データを外部から受信して記憶する記憶手段と、
上記クライアントから上記要求を受けたとき上記コンテンツ提供条件データに従って上記コンテンツ又は上記広告情報付コンテンツのいずれかを上記コンテンツ蓄積提供手段によって上記クライアントへ提供する制御手段と
を具えることを特徴とするコンテンツ提供システム。
【請求項１１】
上記記憶手段は、
ユーザの使用する端末の画面上で上記広告情報付コンテンツを提供するように設定された上記コンテンツ提供条件データを上記端末から受信して記憶する
ことを特徴とする請求項１０に記載のコンテンツ提供システム。
【請求項１２】
上記広告情報付コンテンツは、
上記コンテンツの先頭部分に上記広告情報が付加されている
ことを特徴とする請求項１０に記載のコンテンツ提供システム。
【請求項１３】
コンテンツ供給手段から供給されたコンテンツに広告依頼者から供給された広告情報を付加することにより生成された広告情報付コンテンツを蓄積し、クライアントからの要求に応じて上記広告情報付コンテンツをネットワークを介して上記クライアントへ提供するコンテンツ蓄積提供手段と、
上記コンテンツ蓄積提供手段が上記広告情報付コンテンツを上記クライアントへ提供した提供回数に応じたポイントを発生し、当該ポイントの累積ポイント数に応じた利益還元処理を上記コンテンツ供給手段に対して行う利益還元処理手段と
を具えることを特徴とする利益還元装置。
【請求項１４】
上記利益還元処理手段は、上記利益還元処理として、上記コンテンツ供給手段の上記ネットワークに対する接続料の課金データを上記累積ポイント数に応じて減算することにより上記広告依頼者から得た広告料の一部を利益還元する
ことを特徴とする請求項１３に記載の利益還元装置。
【請求項１５】
上記利益還元処理手段は、上記利益還元処理として、上記コンテンツ供給手段の上記コンテンツ蓄積提供手段に対するサービス利用料の課金データを上記累積ポイント数に応じて減算することにより上記広告依頼者から得た広告料の一部を利益還元する
ことを特徴とする請求項１３に記載の利益還元装置。
【請求項１６】
上記利益還元処理手段は、上記利益還元処理として、上記ネットワークを介してオンラインショッピングを行う商品購入の権利を上記累積ポイント数に応じて上記コンテンツ供給手段に与える
ことを特徴とする請求項１３に記載の利益還元装置。
【請求項１７】
上記利益還元処理手段は、上記利益還元処理として、上記累積ポイント数に応じて返還する現金の金額を上記コンテンツ供給手段に対して上記ネットワークを介して通知する
ことを特徴とする請求項１３に記載の利益還元装置。
【請求項１８】
上記コンテンツ蓄積提供手段は、上記広告情報を上記コンテンツの先頭部分に付加することにより上記広告情報付コンテンツを生成する
ことを特徴とする請求項１３に記載の利益還元装置。
【請求項１９】
コンテンツ蓄積提供手段から供給されたコンテンツに広告依頼者から供給された広告情報を付加することにより生成された広告情報付コンテンツを蓄積し、クライアントからの要求に応じて上記広告情報付コンテンツをネットワークを介して上記クライアントへ提供するコンテンツ蓄積提供ステップと、
上記コンテンツ蓄積提供ステップで上記広告情報付コンテンツを上記クライアントへ提供した提供回数に応じたポイントを発生し、当該ポイントの累積ポイント数に応じた利益還元処理を上記コンテンツ供給手段に対して行う利益還元処理ステップと
を具えることを特徴とする利益還元方法。
【請求項２０】
上記利益還元処理ステップは、上記利益還元処理として、上記コンテンツ供給手段の上記ネットワークに対する接続料の課金データを上記累積ポイント数に応じて減算することにより上記広告依頼者から得た広告料の一部を利益還元する
ことを特徴とする請求項１９に記載の利益還元方法。
【請求項２１】
上記利益還元処理ステップは、上記利益還元処理として、上記コンテンツ供給手段の上記サーバ手段に対するサービス利用料の課金データを上記累積ポイント数に応じて減算することにより上記広告依頼者から得た広告料の一部を利益還元する
ことを特徴とする請求項１９に記載の利益還元方法。
【請求項２２】
上記利益還元処理ステップは、上記利益還元処理として、上記ネットワークを介してオンラインショッピングを行う商品購入の権利を上記累積ポイント数に応じて上記コンテンツ供給手段に与える
ことを特徴とする請求項１９に記載の利益還元方法。
【請求項２３】
上記利益還元処理ステップは、上記利益還元処理として、上記累積ポイント数に応じて返還する現金の金額を上記コンテンツ供給手段に対して上記ネットワークを介して通知する
ことを特徴とする請求項１９に記載の利益還元方法。
【請求項２４】
上記コンテンツ蓄積提供ステップは、上記広告情報を上記コンテンツの先頭部分に付加することにより上記広告情報付コンテンツを生成する
ことを特徴とする請求項１９に記載の利益還元方法。
【請求項２５】
コンテンツの要求を行うクライアントと、
上記要求に応じた上記コンテンツをネットワークを介して上記クライアントへ提供するコンテンツ提供装置と
によって構成される利益還元システムにおいて、
上記コンテンツ提供装置は、
コンテンツ供給手段から供給された上記コンテンツに広告依頼者から供給された広告情報を付加することにより生成された広告情報付コンテンツを蓄積し、上記クライアントからの上記要求に応じて上記広告情報付コンテンツを上記ネットワークを介して上記クライアントへ提供するコンテンツ蓄積提供手段と、
上記コンテンツ蓄積提供手段が上記広告情報付コンテンツを上記クライアントへ提供した提供回数に応じたポイントを発生し、当該ポイントの累積ポイント数に応じた利益還元処理を上記コンテンツ供給手段に対して行う利益還元処理手段と
を具えることを特徴とする利益還元システム。
【請求項２６】
上記利益還元処理手段は、上記利益還元処理として、上記コンテンツ供給手段の上記ネットワークに対する接続料の課金データを上記累積ポイント数に応じて減算することにより上記広告依頼者から得た広告料の一部を利益還元する
ことを特徴とする請求項２５に記載の利益還元システム。
【請求項２７】
上記利益還元処理手段は、上記利益還元処理として、上記コンテンツ供給手段の上記コンテンツ蓄積提供手段に対するサービス利用料の課金データを上記累積ポイント数に応じて減算することにより上記広告依頼者から得た広告料の一部を利益還元する
ことを特徴とする請求項２５に記載の利益還元システム。
【請求項２８】
上記利益還元処理手段は、上記利益還元処理として、上記ネットワークを介してオンラインショッピングを行う商品購入の権利を上記累積ポイント数に応じて上記コンテンツ供給手段に与える
ことを特徴とする請求項２５に記載の利益還元システム。
【請求項２９】
上記利益還元処理手段は、上記利益還元処理として、上記累積ポイント数に応じて返還する現金の金額を上記コンテンツ供給手段に対して上記ネットワークを介して通知する
ことを特徴とする請求項２５に記載の利益還元システム。
【請求項３０】
上記コンテンツ蓄積提供手段は、上記広告情報を上記コンテンツの先頭部分に付加することにより上記広告情報付コンテンツを生成する
ことを特徴とする請求項２５に記載の利益還元システム。
【手続補正３】
【補正対象書類名】明細書
【補正対象項目名】０００９
【補正方法】変更
【補正の内容】
【０００９】
【課題を解決するための手段】
かかる課題を解決するため本発明においては、所定の記憶領域にコンテンツを蓄積すると共に、当該コンテンツに対して広告情報を付加することにより生成された広告情報付コンテンツをコンテンツ蓄積提供手段に蓄積し、コンテンツ又は広告情報付コンテンツのいずれかを提供することが予め設定されたコンテンツ提供条件データを外部から受信して記憶し、クライアントから要求を受けたときコンテンツ提供条件データに従ってコンテンツ又は広告情報付コンテンツのいずれかを選択し、当該選択されたコンテンツ又は広告情報付コンテンツのいずれかをコンテンツ蓄積提供手段からネットワークを介してクライアントへ提供するようにする。
外部から受信したコンテンツ提供条件データが広告情報付コンテンツを提供するように設定されていた場合には、コンテンツに対する要求に応じて広告情報付コンテンツをクライアントに提供することにより、コンテンツを要求する際に広告情報の存在をクライアントのユーザに意識させることなく、当該ユーザに対して強制的かつ確実に広告情報を視聴させることができる。
【手続補正４】
【補正対象書類名】明細書
【補正対象項目名】００１０
【補正方法】変更
【補正の内容】
【００１０】
また本発明においては、コンテンツ蓄積提供手段から供給されたコンテンツに広告依頼者から供給された広告情報を付加することにより生成された広告情報付コンテンツを蓄積し、クライアントからの要求に応じて広告情報付コンテンツをネットワークを介してクライアントへ提供し、広告情報付コンテンツをクライアントへ提供した提供回数に応じたポイントを発生し、当該ポイントの累積ポイント数に応じた利益還元処理をコンテンツ供給手段に対して行うようにした。
広告情報付コンテンツの提供回数が広告情報をクライアントに提供した回数に相当するので、広告情報付コンテンツの提供回数に応じたポイントを発生し、当該ポイントの累積ポイント数に応じた利益還元処理をコンテンツ供給手段に対して行うことにより、広告情報付コンテンツの提供回数に応じた正当な利益還元処理を行うことができる。
【手続補正５】
【補正対象書類名】明細書
【補正対象項目名】０３２８
【補正方法】変更
【補正の内容】
【０３２８】
【発明の効果】
上述のように本発明によれば、外部から受信したコンテンツ提供条件データが広告情報付コンテンツを提供するように設定されていた場合には、コンテンツに対する要求に応じて必ず広告情報付コンテンツをクライアントに提供することにより、コンテンツを要求する際に広告情報の存在をクライアントのユーザに意識させることなく、当該ユーザに対して強制的かつ確実に広告情報を視聴させることができる。
また上述のように本発明によれば、広告映像付コンテンツの提供回数が広告映像をクライアントに視聴させた回数に相当するので、当該提供回数に応じた累積ポイント数に応じた利益還元処理をコンテンツ供給手段に対して行うことにより、正当な利益還元を行うことができる。